(57)【要約】【課題】低域周波数領域から中域ないし高域周波数領域にわたって周波数対音響出力特性を平坦化することができる受話器を実現する。【解決手段】電気音響変換器、前気室、及び後気室を有し、電気音響変換器が生ずる音波が、前気室空間を伝播して受話口壁部に設けられた複数の音孔から外部へと出力される受話器において、後気室本体に第１のリーク孔と第２のリーク孔とを設け、電気音響変換器が発生する音波を該受話器の外部にリークさせて、低域周波数領域での音響出力を増加させる。ここで第１のリーク孔の開口をダンパ材で覆うと、中域周波数における音響出力が低下して、中域周波数の近傍領域における周波数の変化に対する音響出力の増減率が少なくなると共に、音響出力が増加する中域周波数領域（帯域）を広げることができるから、低域周波数領域から中域ないし高域周波数領域にわたって周波数対音響出力特性を平坦化することができる。【選択図】図２
2008154039.tif 000002
【特許請求の範囲】
【請求項１】
電気音響変換器、前気室、及び後気室を有し、
前記前気室は、一端側に電気音響変換器を、他端側に受話口壁部を有し、
前記前気室が有する前気室空間は、音源前面壁部と前記受話口壁部と周壁とで画され、
前記後気室は、音源背面壁部と後気室本体とを有して後気室空間を画し、
前記電気音響変換器が生ずる音波が、前記前気室空間を伝播して前記受話口壁部に設けられた複数の音孔から外部へと出力される受話器において、
前記後気室本体が有する第１のリーク孔及び第２のリーク孔が、電気音響変換器の振動板で発生する音波を該受話器の後気室の外部にリークし、
前記第１のリーク孔の開口がダンパ材で覆われていることを特徴とする受話器。
【請求項２】
第２のリーク孔の直径が第１のリーク孔の直径より小さいことを特徴とする請求項１に記載の受話器。
【発明の詳細な説明】
【技術分野】
【０００１】
本発明は、例えば電話機のハンドセット等において使用される受話器に関するものである。
【背景技術】
【０００２】
従来のアナログ電話回線は、伝送周波数帯域の上限が３ないし３．４ｋＨｚであるが、ＩＳＤＮディジタル回線では、伝送周波数帯域の上限が７ｋＨｚ程度まで広帯域化されている。さらにＩＰ回線では、２０ｋＨｚまでの音声伝送帯域を使用することも可能である。かかる広帯域の回線で通信を行えば、通話品質が向上して音声等を高品質（明瞭）に伝送できるが、高品質で伝送された音声信号を人間が聴覚で高品質と感じるためには、更に受話器の広帯域化を実現しなければならない。そこで例えば、電気音響変換器（例えばスピーカであり、以下、単に「スピーカ」と表示することがある）の前面側に前気室を設け、この前気室の受話口に設けた音孔を通して受話器の外部に伝播させることで受話器の周波数対音響出力特性を改善するとともにリーク孔を有する後気室をスピーカの振動板の後方に設けて、受話器の周波数対音響出力特性を改善する技術が開発された（例えば特許文献１及び２）。
【特許文献１】特開平１０−１５０６９８号公報
【特許文献２】特開２００３−２３４８２号公報
【発明の開示】
【発明が解決しようとする課題】
【０００３】
しかしながら、受話器の周波数対音響出力特性は、前気室と後気室を含む受話器の筒状体の容積の大小で決まるため（例えば特許文献１）、後気室にリーク孔を設けて、低域、中域あるいは高域周波数の何れかの周波数帯における音響出力特性を変化させる（所望の特性にする）ことができても、広い周波数領域にわたって、周波数対音響出力特性を平坦化することができない。またスピーカの前面へ向け発生した音波と、スピーカの背面へ向け発生した音波との位相差を利用する技術（例えば特許文献２）は、位相差を利用できる周波数近傍において音響出力特性を所望の特性にするにとどまるから、周波数対音響出力特性を広い周波数領域にわたって平坦化することができない。そこで本発明は、広い周波数領域にわたって周波数対音響出力特性を平坦化できる受話器の実現を課題とする。
【課題を解決するための手段】
【０００４】
上記課題を解決するため、本発明に係る受話器は、請求項１に記載のように、電気音響変換器、前気室、及び後気室を有し、前気室は、一端側に電気音響変換器を、他端側に受話口壁部を有し、前気室が有する前気室空間は、音源前面壁部と受話口壁部と周壁とで画され、後気室は、音源背面壁部と後気室本体とを有して後気室空間を画し、電気音響変換器が生ずる音波が、前気室空間を伝播して受話口壁部に設けられた複数の音孔から外部へと出力される受話器において、後気室本体が有する第１のリーク孔及び第２のリーク孔が、電気音響変換器の振動板で発生する音波を該受話器の外部にリークするものであり、第１のリーク孔の開口がダンパ材で覆われている。
【０００５】
後気室空間を画する後気室本体にリーク孔がない場合には、低域周波数領域において受話器の音響出力が低下し、中域周波数領域（例えば３ないし５ｋＨｚ近傍）において音響出力が増加し、中域周波数領域から高域周波数領域（例えば５ないし１０ｋＨｚ）にかけて音響出力が減少する。そこで該受話器は、先ず第１のリーク孔を設けて、低域周波数領域における受話器の音響出力を増加させる。しかし第１のリーク孔を設けただけでは、中域周波数領域における音響出力が増加したままであって、周波数対音響出力特性が平坦化できない。
【０００６】
そこで、第１のリーク孔の開口を後気室本体の外面においてダンパ材で覆って、後気室空間における音響共振に対しダンパとして作用させる。このダンパ作用で、音響共振周波数である中域周波数における音響出力が低下して、中域周波数の近傍領域における周波数の変化に対する音響出力の増減率が少なくなると共に、音響出力が増加する中域周波数領域（帯域）を広げることができる。しかし、このダンパ作用で低域周波数領域における受話器の音響出力の一部が低下してしまう。そこで更に第２のリーク孔を設けて、第２のリーク孔で低域周波数領域での音響出力を増加させる。
【０００７】
かくして低域周波数領域においては、第１のリーク孔及び第２のリーク孔によって音響出力が増加し、第１のリーク孔のダンパ作用によって、中域周波数領域における音響出力が広い周波数領域にわたって平坦化される。よって該受話器は、低域周波数領域から中域ないし高域周波数領域にわたって良好な周波数対音響出力特性を実現できる（周波数対音響出力特性を広帯域化することができる）。
【０００８】
請求項２に記載の受話器は、第２のリーク孔の直径を第１のリーク孔の直径より小さくすることで、第１のリーク孔のダンパ作用が第２のリーク孔によって消されて中域周波数領域における音響出力がまた増加してしまうのを防ぐことによって、受話器の周波数対音響出力特性を更に良好な特性にすることができる。
【発明の効果】
【０００９】
以上のとおり、本発明にかかる受話器は、第１のリーク孔及び第２のリーク孔を設けて低域周波数領域での音響出力を増加することができ、開口をダンパ材で覆った第１のリーク孔によって、中域周波数領域における音響出力特性を平坦化することができる。よって、本発明にかかる受話器は、低域周波数領域から中域ないし高域周波数領域にわたって周波数対音響出力特性を平坦化することができる（周波数対音響出力特性を高帯域化できる）。
【発明を実施するための最良の形態】
【００１０】
以下、図面を参照して、本発明にかかる受話器を説明する。
【実施例】
【００１１】
図１ないし図３に基づき、本発明にかかる受話器の一実施例について説明する。図１はハンドセット１の外観例を示すものであり（図１中の２は受話器側端部）、図２は、受話器側端部２が備える受話器１０の概略断面構成を示す図である。本発明にかかる受話器１０は、ハンドセット１の受話器側端部２にスピーカ２０、前気室３０及び後気室４０を有している。
【００１２】
スピーカ２０では、基板２１の一方側に振動板２２がスペーサ２３を介在して取り付けられて、振動板２２と基板２１との間に形成されるスピーカ内部空間２５は、その周部がスペーサ２３で塞がれ、振動板２２のスピーカ内部空間２５側の面にはコイル２４ａが取り付けられ、基板２１の中央部には、磁気回路２４ｂが取り付けられている（磁気回路２４ｂがコイル２４ａを振動させることで振動板が振動する）。またスピーカ２０では、振動板２２の振動を円滑にするために、基板２１にスピーカリーク孔２１ａが設けられ、スピーカ内部空間２５と後気室空間４０ａとを連通して、振動板２２の振動でスピーカ内部空間２５に生じる空気振動を後気室空間４０ａにリークさせている。
【００１３】
前気室３０は、一端側においてスピーカ２０の振動板２２が音源前面壁部となり、他端側に振動板２２と３ｍｍ隔てて平行に位置づけられた受話口壁部３１を有し、振動板２２、受話口壁部３１、及び円環状の断面を有する周壁３２（内径２５ｍｍ）とで、前気室空間３０ａ（略円柱形状の空間）を形成している。受話口壁部３１には、直径２ｍｍの音孔３１ａが２４箇所に設けられている。従って受話器１０では、スピーカ２０が生ずる音波は、前気室空間３０ａを伝播して受話口壁部３１に設けられた複数の音孔３１ａから外部へと出力されて、人間の聴覚を刺激する。
【００１４】
後気室４０が有する音源背面壁部をなすスピーカ２０の基板２１（中央部には磁気回路２４ｂが取り付けられている）と有底円柱形状の後気室本体４１とが、後気室空間４０ａを画している。後気室本体４１の底面部４１ａには、第１のリーク孔４２（直径３ｍｍ）と第２のリーク孔４３（直径１．５ｍｍ）がそれぞれ１つ設けられ（第１のリーク孔４２及び第２のリーク孔４３は、底面部４１ａの任意の位置に設けることができる）、第１のリーク孔４２の外部側には、ダンパ材４４が貼り付けられている。ダンパ材４４は、例えば細かい織り目を有する布またはスクリーン印刷用のメッシュなどであり、細かい織り目が有する空気抵抗で、後気室空間４０ａにおける音響共振に対しダンパとして作用する。なお後気室本体４１は、図示しない例えば螺子等でハンドセット１の外筐１ａに取り付けられて、スピーカ２０の基板２１を周壁３２と共に挟持している（基板２１が、振動板２２と共に前気室空間３０ａと後気室空間４０ａの間に介在している）。
【００１５】
図３は、受話器１０の周波数対音響出力特性例である（横軸が周波数で、縦軸が音響出力である）。破線Ｌ１は、後気室空間４０ａがリーク孔を有さない場合における周波数対音響出力特性である。後気室本体にリーク孔がない場合には、低域周波数領域における周波数対音響出力特性曲線が、低周波側に向かって下降すると共に、中域周波数領域（例えば３ないし５ｋＨｚ近傍）において音響出力が１０ｄＢ程度増加する。ここで、第１のリーク孔４２を設けると、一点鎖線Ｌ２で示すように、第１のリーク孔４２の作用で低域周波数領域における音響出力が増加して、低域周波数領域における周波数対音響出力特性曲線が平坦化される（なお音響出力が増加する中域周波数領域が２ないし３ｋＨｚと若干低くなる）。しかし、一点鎖線Ｌ２における中域周波数領域の音響出力増加の程度は、破線Ｌ１における中域周波数領域の音響出力増加の程度とあまり差がない。
【００１６】
そこで、第１のリーク孔４２の開口４２ａを後気室本体４０ａの外面においてダンパ材４４で覆うと、ダンパ材４４が後気室空間４０ａにおける音響共振に対しダンパとして作用する。音響共振にダンパ材４４が作用すると、二点鎖線Ｌ３で示すように、音響共振周波数（中域周波数）における音響出力が低下して、中域周波数の近傍領域における周波数の変化に対する音響出力の増減率が少なくなると共に、音響出力が増加する中域周波数領域（帯域）が広がる（中域ないし広域周波数領域にかけて音響出力が平坦化する）が、中域周波数領域における音響出力は、低域周波数領域に比べてまだ３ないし５ｄＢ程度増加している。
【００１７】
そこで、更に第２のリーク孔４３を設けると、低域周波数領域での音響出力が増加するから、低域周波数領域から中域ないし広域周波数領域にかけて音響出力が平坦化される（実線Ｌ）。ここで第２のリーク孔４３の直径が大きすぎると第１のリーク孔４２のダンパの効果が消されて一点鎖線Ｌ２の特性に戻ってしまい、第２のリーク孔４３の直径を第１のリーク孔４２より小さくすると、両リーク孔の直径が等しいときよりも、中域周波数領域において音響出力が増加することがなくなる。
【００１８】
かくして受話器１０では、第１のリーク孔４２及び第２のリーク孔４３で低域周波数領域での音響出力が増加し、第１のリーク孔４２の開口４２ａに貼り付けたダンパ材４４の作用で、中域周波数領域における音響出力の増加の程度が平坦化されて、音響出力増加量が広い周波数領域にわたって平坦化される。よって受話器１０は、低域周波数領域から中域ないし高域周波数領域にわたって良好な周波数対音響出力特性を実現できる（周波数対音響出力特性を広帯域化することができる）。
【００１９】
なお発明に係る受話器は、上記各実施例に限定されるものではなく、その趣旨を逸脱しない範囲で適宜変形し実施できる。例えば、上記実施例において、後気室空間が有底円柱形状以外の形状であっても、第１のリーク孔及び第２のリーク孔は、低域周波数領域における音響出力を増加させることができ、またダンパ材は、音響出力が増加する中域周波数領域を低域周波数領域近傍及び高域周波数領域の近傍に拡大するとともに、音響出力増加量を広い周波数領域にわたって平坦化させる作用を発揮するから、上記実施例と同様な作用効果を奏する。また第１のリーク孔及び第２のリーク孔の数は上記実施例で限定されるものではない。
【図面の簡単な説明】
【００２０】
【図１】本発明にかかる受話器を備えたハンドセットの外観例を示すものである。
【図２】本発明の一実施例にかかる受話器を含む受話器側端部の概略断面構成を示す図である。
【図３】図にかかる受話器の周波数対音響出力特性の改善の様子を示す特性図である。
【符号の説明】
【００２１】
１０    受話器
２０    スピーカ（電気音響変換器）
２１    スピーカの基板（音源背面壁部）
２２    スピーカの振動板（音源前面壁部）
３０    前気室
３０ａ  前気室空間
３１    受話口壁部
３１ａ  音孔
３２    周壁
４０    後気室
４０ａ  後気室空間
４１    後気室本体
４２    第１のリーク孔
４３    第２のリーク孔
４４    ダンパ材
【図１】
2008154039.tif 000003
【図２】
2008154039.tif 000004
【図３】
2008154039.tif 000005